(57)【要約】【課題】表示装置上の構成要素を效率的に配置して、ベゼル領域を最小化することのできる電界発光表示装置を提供すること。【解決手段】本発明の電界発光表示装置は、基板上に複数のピクセルが形成されたピクセル回路部と、ピクセル回路部の一側部に形成されて、各ピクセルにデータ信号を供給するデータ駆動部と、データ駆動部またはピクセル回路部の一側部に形成されて、各ピクセルにスキャン信号を供給するスキャン駆動部と、外部回路と接続されており、かつ１つまたは１つ以上が、データ駆動部、または前記ピクセル回路部、基板のうちのいずれか１つまたは１つ以上の縁（ｐｅｒｉｍｅｔｅｒ）の一部に形成された複数の配線とを備える。【選択図】図２
2006309223.tif 000002
【特許請求の範囲】
【請求項１】
基板上に複数のピクセルが形成されたピクセル回路部と、
該ピクセル回路部の一側部に形成されて、各ピクセルにデータ信号を供給するデータ駆動部と、
前記ピクセル回路部の一側部に形成されて、各ピクセルにスキャン信号を供給するスキャン駆動部と、
外部回路と接続されており、かつ１つまたは１つ以上が、前記データ駆動部、前記ピクセル回路部、前記基板のうちのいずれか１つまたは１つ以上の縁（ｐｅｒｉｍｅｔｅｒ）の一部に形成された複数の配線と
を備えた電界発光表示装置。
【請求項２】
前記スキャン駆動部が、前記データ駆動部の一側部に形成されており、
前記複数の配線が、前記ピクセル回路部の一側部に形成されていることを特徴とする請求項１に記載の電界発光表示装置。
【請求項３】
前記電界発光表示装置の前記ピクセル回路部には、有機発光層が形成されていることを特徴とする請求項２に記載の電界発光表示装置。
【請求項４】
前記スキャン駆動部が２つ以上であり、前記スキャン駆動部が前記データ駆動部の左右側面にそれぞれ形成されたことを特徴とする請求項３に記載の電界発光表示装置。
【請求項５】
前記複数の配線は、グラウンドライン（ＧＮＤ）及び電源供給ライン（ＶＤＤ）であり、前記グラウンドライン及び前記電源供給ラインは、前記スキャン駆動部の外側部に形成されたことを特徴とする請求項３に記載の電界発光表示装置。
【請求項６】
前記スキャン駆動部が、前記ピクセル回路部を基に前記データ駆動部と対向するように形成されており、
前記複数の配線が、前記ピクセル回路部の一側部に形成されていることを特徴とする請求項１に記載の電界発光表示装置。
【請求項７】
前記電界発光表示装置の前記ピクセル回路部には、有機発光層が形成されていることを特徴とする請求項６に記載の電界発光表示装置。
【請求項８】
前記スキャン駆動部は２つ以上であり、前記スキャン駆動部が並列に配置されたことを特徴とする請求項７に記載の電界発光表示装置。
【請求項９】
前記複数の配線は、グラウンドライン（ＧＮＤ）及び電源供給ライン（ＶＤＤ）であり、前記グラウンドライン及び前記電源供給ラインは、前記ピクセル回路部と前記スキャン駆動部とに接続した配線の間に形成されたことを特徴とする請求項７に記載の電界発光表示装置。
【請求項１０】
前記スキャン駆動部は、前記ピクセル回路部の外側部に形成されており、
前記複数の配線のうちの１つ以上は、前記データ駆動部と前記ピクセル回路部との間の前記データ駆動部の外郭縁の一部に形成されていることを特徴とする請求項１に記載の電界発光表示装置。
【請求項１１】
前記電界発光表示装置の前記ピクセル回路部には、有機発光層が形成されていることを特徴とする請求項１０に記載の電界発光表示装置。
【請求項１２】
前記スキャン駆動部は２つ以上であり、前記スキャン駆動部は前記ピクセル回路部を基に左右側面にそれぞれ形成されたことを特徴とする請求項１１に記載の電界発光表示装置。
【請求項１３】
前記複数の配線は、グラウンドライン（ＧＮＤ）及び電源供給ライン（ＶＤＤ）であり、前記グラウンドラインと前記電源供給ラインは、前記データ駆動部と前記ピクセル回路部との間の前記データ駆動部の外郭縁の一部に形成されたことを特徴とする請求項１１に記載の電界発光表示装置。
【請求項１４】
前記複数の配線は、グラウンドライン（ＧＮＤ）及び電源供給ライン（ＶＤＤ）であり、前記電源供給ラインは、前記データ駆動部と前記ピクセル回路部との間の前記データ駆動部の縁の一部に形成され、前記グラウンドラインは、前記スキャン駆動部の外側部の前記基板の縁の一部に形成されたことを特徴とする請求項１１に記載の電界発光表示装置。
【請求項１５】
前記複数の配線は、グラウンドライン（ＧＮＤ）及び電源供給ライン（ＶＤＤ）であり、前記グラウンドラインは、前記データ駆動部と前記ピクセル回路部との間の前記データ駆動部の外郭縁に形成され、前記電源供給ラインは、前記スキャン駆動部の外側部の前記基板の縁に形成されたことを特徴とする請求項１１に記載の電界発光表示装置。
【請求項１６】
前記スキャン駆動部は２つ以上であり、前記スキャン駆動部が前記データ駆動部の左右側面にそれぞれ形成されたことを特徴とする請求項１１に記載の電界発光表示装置。
【発明の詳細な説明】
【技術分野】
【０００１】
本発明は、電界発光（ｅｌｅｃｔｒｏ  ｌｕｍｉｎｅｓｃｅｎｃｅ）表示装置に関し、特に、表示装置上の構成要素を效率的に配置して、ベゼル領域を最小化することのできる電界発光表示装置に関する。
【背景技術】
【０００２】
電子と正孔の再結合で有機物質を発光させる有機電界発光素子を利用した有機電界発光表示装置は、液晶ディスプレイ装置のような別の光源を必要とする受動型発光素子を利用したことに比べて、応答速度が速い。また、有機電界発光表示装置は、直流駆動電圧が低く、超薄膜化が可能なために、壁掛け型または携帯用で応用可能である。
【０００３】
図１ａは、従来の有機電界発光表示装置の内部構成を示した平面図であり、図１ｂは、図１ａのＡ−Ａ´断面図である。図１ａ及び図１ｂは、説明の便宜上、表示装置上の保護基板を除去した状態で示した。
【０００４】
有機電界発光表示装置１０は、基板１１上に形成されてイメージをディスプレイするピクセル回路部１２を備え、ピクセル回路部１２の内には、複数のＲＧＢピクセルＰ（ＲＧＢ  ｐｉｘｅｌ；図１ａには、便宜上、単一のピクセルのみを示している）が形成されている。
【０００５】
外部回路部１５に対応するピクセル回路部１２のいずれかの外側部には、各ピクセルＰのデータラインＤが接続されたデータ駆動部１３が形成されており、各ピクセルＰにデータ信号が伝達される。
【０００６】
また、ピクセル回路部１２の両側部には、一部ピクセルのスキャンラインＳが接続されている第１スキャン駆動部１４ａ及び残りのピクセルのスキャンラインが接続されている第２スキャン駆動部１４ｂがそれぞれ位置し、各ピクセルにスキャン信号が供給される。データ駆動部１３と第１スキャン駆動部１４ａ及び第２スキャン駆動部１４ｂは、外部回路部１５と電気的に接続される。したがって、各ピクセルＰは、外部回路部１５から電気的な信号を受けて駆動する。
【０００７】
一方、ピクセル回路部１２、データ駆動部１３、第１スキャン駆動部１４ａ、及び第２スキャン駆動部１４ｂの外側には、シーラント（ｓｅａｌａｎｔ）が分配され、このシーラントによって保護基板が基板１１上に付着される。したがって、ピクセル回路部１２を含む全ての素子要素は、保護基板（キャップ）によって外部と隔離されて、外部の水分や酸素などの不純物の影響を受けない。
【０００８】
第１スキャン駆動部１４ａとピクセル回路部１２との間の基板１１上には、電源供給ライン（ＶＤＤ）１６が、第２スキャン駆動部１４ａとピクセル回路部１２との間の基板１１上には、グラウンドライン（ＧＮＤ）１７がそれぞれ配置される。この時、電源供給ライン１６とグラウンドライン１７は、外部回路部１５にそれぞれ接続される。
【０００９】
図１ａ及び図１ｂに示すように、ピクセル回路部１２の両側先端と基板１１の両側終端との間の領域をベゼル領域（Ｂｅｚｅｌ  Ａｒｅａ）Ｂ１，Ｂ２という。ベゼル領域Ｂ１，Ｂ２は、イメージがディスプレイされない領域であって、有機電界発光表示装置の大きさを増加させる１つの要因として作用する。したがって、従来の有機電界発光表示装置の場合、同じ面積のピクセル回路部が形成された表示装置であっても、ベゼル領域の広い表示装置の規格は、ベゼル領域の狭い表示装置の規格よりは大きくならざるをえず、このような場合、移動通信端末機のメインウィンドウまたはサブウィンドウの規格もまた大きくなるという問題があった。また、このようなベゼル領域によって、移動通信端末機のメインウィンドウ及びサブウィンドウでは、イメージがディスプレイされない空いた空間（Ｄｅａｄ  Ｓｐａｃｅ）が存在するという問題があった。
【００１０】
説明の便宜上、従来の表示装置上の保護基板は省略した。一方、硬化マージン（ｃｕｒｉｎｇ  ｍａｒｇｉｎ）のうちの１つは、シーラント（図示せず）と第１スキャン駆動部１４との間に提供される。また、硬化マージンの残りの１つは、シーラントと第２スキャン駆動部１４ｂとの間に提供される。したがって、図示していない保護基板が光硬化及び／または熱硬化過程でシーラントにより基板１１に付着する時、この硬化マージンは、予測できない損傷から第１及び第２スキャン駆動部１４ａ，１４ｂを保護するために存在せざるを得ない。
【００１１】
例えば、シーラントが所定の幅で基板１１に塗布された後、光硬化または熱硬化過程で位置誤差（ｐｏｓｉｔｉｏｎｉｎｇ  ｅｒｒ）が種々の要因により生じ得る。この位置誤差は、例えば、光硬化過程で紫外線光が第１及び第２スキャン駆動部１４ａ，１４ｂに損傷を引き起こすことができる。このスキャン駆動部１４ａ，１４ｂのような２つの主要回路が損傷されるので、回路に雑音が発生できる。
【００１２】
したがって、硬化マージンの大きさが増加するほど、ベゼル領域の大きさも増加して、このような問題が発生する可能性を減少させた。しかしながら、硬化マージンを増加することは、映像が表示されない空いた空間を増加させるという問題を引き起こした。
【発明の開示】
【発明が解決しようとする課題】
【００１３】
したがって、本発明は、上記した従来の問題を解決するためになされたものであって、その目的は、表示装置上の構成要素を效率的に配置して、ベゼル領域を最小化することのできる電界発光表示装置を提供することにある。
【課題を解決するための手段】
【００１４】
本発明の電界発光表示装置は、基板上に複数のピクセルが形成されたピクセル回路部と、ピクセル回路部の一側部に形成されて、各ピクセルにデータ信号を供給するデータ駆動部と、ピクセル回路部の一側部に形成されて、各ピクセルにスキャン信号を供給するスキャン駆動部と、外部回路と接続されており、かつ１つまたは１つ以上が、データ駆動部、ピクセル回路部、基板のうちのいずれか１つまたは１つ以上の縁（ｐｅｒｉｍｅｔｅｒ）の一部に形成された複数の配線とを備えることができる。
【００１５】
この時、スキャン駆動部が、データ駆動部の一側部に形成されており、複数の配線が、ピクセル回路部の一側部に形成されていることができる。
【００１６】
また、スキャン駆動部が、ピクセル回路部を基にデータ駆動部と対向するように形成されており、複数の配線が、ピクセル回路部の一側部に形成されていることができる。
【００１７】
また、スキャン駆動部は、ピクセル回路部の外側部に形成されており、複数の配線のうちの１つ以上は、データ駆動部とピクセル回路部との間のデータ駆動部の外郭縁の一部に形成されていることができる。
【００１８】
上記目的を達成するために、本発明は、例えば、以下の手段を提供する。
（項目１）
基板上に複数のピクセルが形成されたピクセル回路部と、
そのピクセル回路部の一側部に形成されて、各ピクセルにデータ信号を供給するデータ駆動部と、
前記ピクセル回路部の一側部に形成されて、各ピクセルにスキャン信号を供給するスキャン駆動部と、
外部回路と接続されており、かつ１つまたは１つ以上が、前記データ駆動部、前記ピクセル回路部、前記基板のうちのいずれか１つまたは１つ以上の縁（ｐｅｒｉｍｅｔｅｒ）の一部に形成された複数の配線と
を備えた電界発光表示装置。
（項目２）
前記スキャン駆動部が、前記データ駆動部の一側部に形成されており、
前記複数の配線が、前記ピクセル回路部の一側部に形成されていることを特徴とする項目１に記載の電界発光表示装置。
（項目３）
前記電界発光表示装置の前記ピクセル回路部には、有機発光層が形成されていることを特徴とする項目２に記載の電界発光表示装置。
（項目４）
前記スキャン駆動部が２つ以上であり、前記スキャン駆動部が前記データ駆動部の左右側面にそれぞれ形成されたことを特徴とする項目３に記載の電界発光表示装置。
（項目５）
前記複数の配線は、グラウンドライン（ＧＮＤ）及び電源供給ライン（ＶＤＤ）であり、前記グラウンドライン及び前記電源供給ラインは、前記スキャン駆動部の外側部に形成されたことを特徴とする項目３に記載の電界発光表示装置。
（項目６）
前記スキャン駆動部が、前記ピクセル回路部を基に前記データ駆動部と対向するように形成されており、
前記複数の配線が、前記ピクセル回路部の一側部に形成されていることを特徴とする項目１に記載の電界発光表示装置。
（項目７）
前記電界発光表示装置の前記ピクセル回路部には、有機発光層が形成されていることを特徴とする項目６に記載の電界発光表示装置。
（項目８）
前記スキャン駆動部は２つ以上であり、前記スキャン駆動部が並列に配置されたことを特徴とする項目７に記載の電界発光表示装置。
（項目９）
前記複数の配線は、グラウンドライン（ＧＮＤ）及び電源供給ライン（ＶＤＤ）であり、前記グラウンドライン及び前記電源供給ラインは、前記ピクセル回路部と前記スキャン駆動部とに接続した配線の間に形成されたことを特徴とする項目７に記載の電界発光表示装置。
（項目１０）
前記スキャン駆動部は、前記ピクセル回路部の外側部に形成されており、
前記複数の配線のうちの１つ以上は、前記データ駆動部と前記ピクセル回路部との間の前記データ駆動部の外郭縁の一部に形成されていることを特徴とする項目１に記載の電界発光表示装置。
（項目１１）
前記電界発光表示装置の前記ピクセル回路部には、有機発光層が形成されていることを特徴とする項目１０に記載の電界発光表示装置。
（項目１２）
前記スキャン駆動部は２つ以上であり、前記スキャン駆動部は前記ピクセル回路部を基に左右側面にそれぞれ形成されたことを特徴とする項目１１に記載の電界発光表示装置。
（項目１３）
前記複数の配線は、グラウンドライン（ＧＮＤ）及び電源供給ライン（ＶＤＤ）であり、前記グラウンドラインと前記電源供給ラインは、前記データ駆動部と前記ピクセル回路部との間の前記データ駆動部の外郭縁の一部に形成されたことを特徴とする項目１１に記載の電界発光表示装置。
（項目１４）
前記複数の配線は、グラウンドライン（ＧＮＤ）及び電源供給ライン（ＶＤＤ）であり、前記電源供給ラインは、前記データ駆動部と前記ピクセル回路部との間の前記データ駆動部の縁の一部に形成され、前記グラウンドラインは、前記スキャン駆動部の外側部の前記基板の縁の一部に形成されたことを特徴とする項目１１に記載の電界発光表示装置。
（項目１５）
前記複数の配線は、グラウンドライン（ＧＮＤ）及び電源供給ライン（ＶＤＤ）であり、前記グラウンドラインは、前記データ駆動部と前記ピクセル回路部との間の前記データ駆動部の外郭縁に形成され、前記電源供給ラインは、前記スキャン駆動部の外側部の前記基板の縁に形成されたことを特徴とする項目１１に記載の電界発光表示装置。
（項目１６）
前記スキャン駆動部は２つ以上であり、前記スキャン駆動部が前記データ駆動部の左右側面にそれぞれ形成されたことを特徴とする項目１１に記載の電界発光表示装置。
【発明の効果】
【００１９】
本発明によれば、表示装置上の構成要素を效率的に配置することによって、ベゼル領域を最小化し得るという効果が得られる。
【発明を実施するための最良の形態】
【００２０】
以下、本発明の最も好ましい実施形態を、添付した図面を参照しながら説明する。
（第１の実施形態）
図２ａは、本発明の第１の実施形態に係る電界発光表示装置の内部構成を示した平面図であり、図２Ｂは、図２ａのＺ‐Ｚ’断面図である。
【００２１】
図２ａに示すように、本発明に係る電界発光表示装置２０は、基板２１上に形成されてイメージをディスプレイするピクセル回路部２２を備える。ここで、ピクセル回路部２２内には、複数のＲＧＢピクセルが形成されている。一方、ピクセル回路部２２の一側部、すなわち外部回路部２５と隣接する領域には、各ピクセルＰのデータラインＤが接続されたデータ駆動部２３が形成されているので、データ駆動部２３は、各ピクセルＰにデータ信号を伝達する役割を果たす。
【００２２】
ピクセル回路部２２の周りには、データ駆動部２３を基に左右側面にピクセルＰのスキャンラインＳと接続されている第１スキャン駆動部２４ａ及び第２スキャン駆動部２４ｂがそれぞれ形成されている。データ駆動部２３と第１スキャン駆動部２４ａ及び第２スキャン駆動部２４ｂは、外部回路部２５と電気的に接続されている。これにより、各ピクセルＰは、外部回路部２５から信号を受けて、第１及び第２スキャン駆動部２４ａ，２４ｂにより駆動される。
【００２３】
外部回路部２５に接続された電源ラインである電源供給ライン２６とグラウンドライン２７は、ピクセル回路部２２を基に第１及び第２スキャン駆動部２４ａ，２４ｂの外側の左右側面にそれぞれ配置される。一方、最外郭にシーラント２９が存在して、ピクセル回路部２２を外部の水分や酸素など異質物から密封する。
【００２４】
ここで、電源供給ライン２６とグラウンドライン２７の配置は、１つの実施形態にしたがったものであって、電源供給ライン２６とグラウンドライン２７の配置は、設計により左右側が変更され得る。また、電源供給ライン２６とグラウンドライン２７は、第１及び第２スキャン駆動部２４ａ，２４ｂより外側に形成されることが極めて重要である。これにより、紫外線光により損傷される恐れの高い第１及び第２スキャン駆動部２４ａ，２４ｂが内側に配置されて、硬化マージンを最小化するか、存在する必要がなくなる。
【００２５】
図２ａ及び２ｂに示すように、第１スキャン駆動部２４ａと第２スキャン駆動部２４ｂをピクセル回路部２２の両側部ではないデータ駆動部２３の両側部にそれぞれ形成して、図１に示された構造と比較する時、ピクセル回路部２２の両側終端と基板２１上の両側終端との間にあるベゼル領域Ｂ１，Ｂ２の幅は、顕著に減少する。これにより、データ駆動部とスキャン駆動部の位置を最適に配置し、電源供給ラインとグラウンドラインをスキャン駆動部より外側に配置して、ベゼル領域の幅を最小化することができ、コンパクトな電界発光表示装置の製作を可能なようにすることができる。
【００２６】
以下、本発明の他の実施形態は、各構成要素の位置関係を変形したものであって、同じ構成には同じ図面番号を付して説明する。また、以下の説明では、本発明と直接的な関連のある第１及び第２スキャン駆動部、電源供給ライン（ＶＤＤ）及びグラウンドライン（ＧＮＤ）の配置上の相違のみを説明し、その機能及びその他の要素に対する重複した説明は省略する。
【００２７】
（第２の実施形態）
図３は、本発明の第２の実施形態に係る電界発光表示装置の内部構成を示した平面図である。
【００２８】
説明に先立ち、本発明の第１の実施形態では、表示装置上の保護基板を除去した状態であり、その構成要素は概略的に示されているのに注意すべきである。これにより、ピクセル回路部３２とデータ駆動部３３、第１スキャン駆動部３４ａ及び第２スキャン駆動部３４ｂの外側に形成されるシーラント（Ｓｅａｌａｎｔ）及びシーラントによって基板３１上に付着される保護部は図示しない。
【００２９】
図３に示すように、図示された有機電界発光表示装置３０上における基板３１の非発光領域上において、第１スキャン駆動部３４ａ及び第２スキャン駆動部３４ｂの位置は、図２ａ上の第１スキャン駆動部２４ａ及び第２スキャン駆動部２４ｂの形成位置と異なる。
【００３０】
第１スキャン駆動部３４ａと第２スキャン駆動部３４ｂをピクセル回路部３２を基にデータ駆動部３３が形成された部分の反対部分に形成することで、ピクセル回路部３２の両側終端と基板３１の両終端との間の空間であるベゼル領域Ｂ１，Ｂ２の幅は、顕著に減少する。
【００３１】
（第３の実施形態）
図４は、本発明の第３の実施形態に係る電界発光表示装置の内部構成を示した平面図である。
【００３２】
説明に先立ち、本発明の第３の実施形態では、表示装置上の保護基板を除去した状態であり、その構成要素は概略的に示されているのに注意すべきである。これにより、ピクセル回路部４２とデータ駆動部４３、第１スキャン駆動部４４ａ及び第２スキャン駆動部４４ｂの外側に形成されるシーラント（Ｓｅａｌａｎｔ）及びシーラントによって基板４１上に付着される保護部は図示しない。
【００３３】
図４に示すように、図示された有機電界発光表示装置４０上におけるピクセル回路部４２の一側部には、データ駆動部４３が形成されており、ピクセル回路部４２の両側部には、第１スキャン駆動部４４ａ及び第２スキャン駆動部４４ｂがそれぞれ形成されている。
【００３４】
図４に示す有機電界発光表示装置４０の構造における外部回路部４５に接続された電源供給ライン４６とグラウンドライン４７は、ピクセル回路部４２の両外側に配置されずに、データ駆動部４３とピクセル回路部４２との間の空間に配置されている。これにより、電源供給ライン４６とグラウンドライン４７をピクセル回路部４２の両側部に形成しないことによって、ベゼル領域の幅は顕著に減少する。
【００３５】
（第４の実施形態）
図５は、本発明の第４の実施形態に係る電界発光表示装置の内部構成を示した平面図である。
【００３６】
説明に先立ち、本発明の第４の実施形態では、表示装置上の保護基板を除去した状態であり、その構成要素は概略的に示されているのに注意すべきである。これにより、ピクセル回路部４２とデータ駆動部４３、第１スキャン駆動部４４ａ及び第２スキャン駆動部４４ｂの外側に形成されるシーラント（Ｓｅａｌａｎｔ）及びシーラントによって基板４１上に付着される保護部は図示しない。
【００３７】
図５に示すように、有機電界発光表示装置４０の構造において、ピクセル回路部４２とデータ駆動部４３、第１スキャン駆動部４４ａ及び第２スキャン駆動部４４ｂの配置関係は、上述した第２の実施形態と同様である。
【００３８】
しかしながら、図５に示すように、データ駆動部４３とピクセル回路部４２との間には、電源供給ライン４６が形成されており、基板４１の外郭縁には、グラウンドライン４７が形成されていることが分かる。これにより、電源供給ライン４６とグラウンドライン４７をピクセル回路部４２の両側部に形成しないことによって、ベゼル領域の幅は顕著に減少する。
【００３９】
（第５の実施形態）
図６は、本発明の第５の実施形態に係る電界発光表示装置の内部構成を示した平面図である。
【００４０】
説明に先立ち、本発明の第５の実施形態では、表示装置上の保護基板を除去した状態であり、その構成要素は概略的に示されているのに注意すべきである。これにより、ピクセル回路部４２とデータ駆動部４３、第１スキャン駆動部４４ａ及び第２スキャン駆動部４４ｂの外側に形成されるシーラント（Ｓｅａｌａｎｔ）及びシーラントによって基板４１上に付着される保護部は図示しない。
【００４１】
図６に示すように、データ駆動部４３とピクセル回路部４２との間には、電源供給ライン４６が形成されており、基板４１の外郭縁には、グラウンドライン４７が形成されていることが分かる。これにより、電源供給ライン４６とグラウンドライン４７をピクセル回路部４２の両側部に形成しないことによって、ベゼル領域の幅は顕著に減少する。
【００４２】
一方、上述したそれぞれの実施形態においては、１つのデータ駆動部のみを説明したが、データ駆動部の数は、１つに限定されるものではなく、１つ以上になり得る。
【００４３】
表示装置上の構成要素を效率的に配置して、ベゼル領域を最小化することのできる電界発光表示装置を提供すること。
【００４４】
本発明の電界発光表示装置は、基板上に複数のピクセルが形成されたピクセル回路部と、ピクセル回路部の一側部に形成されて、各ピクセルにデータ信号を供給するデータ駆動部と、データ駆動部またはピクセル回路部の一側部に形成されて、各ピクセルにスキャン信号を供給するスキャン駆動部と、外部回路と接続されており、かつ１つまたは１つ以上が、データ駆動部、または前記ピクセル回路部、基板のうちのいずれか１つまたは１つ以上の縁（ｐｅｒｉｍｅｔｅｒ）の一部に形成された複数の配線とを備える。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４６】
【図１】ａは従来の有機電界発光表示装置の内部構成を示した平面図。ｂは図１ａのＡ‐Ａ’断面図。
【図２】ａは本発明の第１の実施形態に係る電界発光表示装置の内部構成を示した平面図。ｂはａのＺ‐Ｚ’断面図である。
【図３】本発明の第２の実施形態に係る電界発光表示装置の内部構成を示した平面図。
【図４】本発明の第３の実施形態に係る電界発光表示装置の内部構成を示した平面図。
【図５】本発明の第４の実施形態に係る電界発光表示装置の内部構成を示した平面図。
【図６】本発明の第５の実施形態に係る電界発光表示装置の内部構成を示した平面図。
【図１】
2006309223.tif 000003
【図２】
2006309223.tif 000004
【図３】
2006309223.tif 000005
【図４】
2006309223.tif 000006
【図５】
2006309223.tif 000007
【図６】
2006309223.tif 000008